(57)【要約】【課題】コネクタハウジングに対する端子の装着時と取り外し時の作業性の向上を図る。【解決手段】コネクタハウジング１０の内部に前方から装着され手前側の仮係止位置と奥側の本係止位置との間で移動自在とされたフロントホルダ７０を備える。コネクタハウジングには、端子収容室１４と、端子５０を前方向に位置決めするストッパ１５と、端子収容室への端子の挿入経路内に突出することで端子を係止する係合位置と端子の挿入経路外に退避することで端子と非係合となる非係合位置との間で変位自在とされたランス２０とが設けられている。フロントホルダ７０には、フロントホルダが本係止位置から仮係止位置に移動させられたときランスを係合位置から非係合位置に変位させ、フロントホルダが仮係止位置から本係止位置に移動させられたときランスを非係合位置から係合位置に変位させるランス操作部（引っ掛け部７３）が設けられている。【選択図】図４
2014026794.tif 000002
【特許請求の範囲】
【請求項１】
コネクタハウジングと、電線の先端に取り付けられて前記コネクタハウジングの内部に収容保持される端子と、前記コネクタハウジングの内部に前方から装着され前記コネクタハウジングに対し手前側の仮係止位置と奥側の本係止位置との間で移動自在とされたフロントホルダと、を備え、
前記コネクタハウジングに、後方から前記端子が挿入される端子収容室と、該端子収容室に後方から挿入される前記端子の前端が突き当たることで該端子を前方向に位置決めするストッパと、前記端子収容室への前記端子の挿入経路内に突出することで前記端子を係止する係合位置と前記端子の挿入経路外に退避することで前記端子と非係合となる非係合位置との間で変位自在とされ、前記端子収容室に後方から前記端子が前記ストッパで位置決めされる位置まで挿入された際に前記係合位置に変位することで前記端子と係合して前記端子を後方へ位置決め係止するランスと、が設けられ、
前記フロントホルダに、該フロントホルダが前記本係止位置から前記仮係止位置に移動させられたとき前記ランスを前記係合位置から前記非係合位置に変位させ、前記フロントホルダが前記仮係止位置から前記本係止位置に移動させられたとき前記ランスを前記非係合位置から前記係合位置に変位させるランス操作部が設けられていることを特徴とするコネクタ。
【請求項２】
前記ランスは、前記非係合位置から前記係合位置に復元する可撓性を有していると共に、前記フロントホルダが前記仮係止位置から前記本係止位置に移動させられることで前記ランスが前記係合位置に復元したとき、前記フロントホルダの前記ランス操作部が前記ランスの撓み空間内に進入して前記ランスの撓みを禁止し、それにより前記端子を二重係止することを特徴とする請求項１に記載のコネクタ。
【請求項３】
前記ランスの自由端に係合孔が設けられ、前記フロントホルダの前記ランス操作部が、前記ランスの前記係合孔に差し込み可能な傾斜した引っ掛け部として突設され、該傾斜した引っ掛け部が、前記フロントホルダが前記本係止位置から前記仮係止位置に移動させられたとき、移動に伴い前記係合孔の前側の孔縁部を押圧することで前記ランスを前記非係合位置に変位させる第１の傾斜面を有していることを特徴とする請求項２に記載のコネクタ。
【請求項４】
前記ランスの自由端に係合孔が設けられ、前記フロントホルダの前記ランス操作部が、前記ランスの前記係合孔に差し込み可能な傾斜した引っ掛け部として突設され、該傾斜した引っ掛け部が、前記フロントホルダが前記本係止位置から前記仮係止位置に移動させられたとき、移動に伴い前記係合孔の前側の孔縁部を押圧することで前記ランスを前記非係合位置に変位させる第１の傾斜面と、前記フロントホルダが前記仮係止位置から前記本係止位置に移動させられたとき、移動に伴い前記係合孔の後側の孔縁部を押圧することで前記ランスを前記係合位置に変位させる第２の傾斜面と、を有していることを特徴とする請求項１に記載のコネクタ。
【発明の詳細な説明】
【技術分野】
【０００１】
本発明は、コネクタハウジングの端子収容室に挿入した端子をランスで位置決め係止するコネクタに関する。
【背景技術】
【０００２】
コネクタハウジング内部の端子収容室に可撓性を有するランスを設け、このランスのビーク（係止凸部）を端子の係止孔に係合させることにより、端子を保持固定するようにしたコネクタがよく知られている（例えば、特許文献１参照）。
【０００３】
図９は従来のこの種のコネクタの例を示している。
このコネクタ１０１は、コネクタハウジング１１０と、電線Ｗの先端に取り付けられコネクタハウジング１１０の内部に収容保持される端子１５０と、コネクタハウジング１１０の内部に前方から装着されるフロントホルダ１７０と、コネクタハウジング１１０に装着され、相手側コネクタと嵌合させる際に回動させられることにより、てこの原理を利用して小さい力で完全嵌合させるレバー１８０と、防水栓１６０及びパッキン１６５と、を備えている。
【０００４】
コネクタハウジング１１０には、アウタハウジング部１１１と、その内側のインナハウジング部１１２とが設けられており、インナハウジング部１１２の内部には、後方から端子１５０が挿入される端子収容室１１４と、端子１５０を前方向に位置決めするストッパ１１５と、端子収容室１１４に後方から端子１５０が挿入された際に端子１５０に押されて端子１５０の挿入経路の外側（図９では下側）へ一旦撓み変形し、端子１５０がストッパ１１５で位置決めされる位置まで挿入された段階で撓みから復帰して端子１５０の係止孔１５４にビーク１２２を係合させ、それにより、端子１５０を後方へ位置決め係止する可撓性を有したランス１２０と、が設けられている。
【０００５】
フロントホルダ１７０は、コネクタハウジング１１０のインナハウジング部１１２に対し手前側の仮係止位置から奥側の本係止位置に押し込み可能とされている。このフロントホルダ１７０には、インナハウジング部１１２の前端外周部に嵌合する筒壁１７１が設けられており、この筒壁の底部側に、図１１（ｂ）に示すように、端子１５０をランス１２０により抜け止め係止した状態でフロントホルダ１７０を仮係止位置から本係止位置に押し込んだとき、ランス１２０の撓み空間１２８内に進入してランス１２０の撓みを禁止し、それにより端子１５０を二重係止するランス押さえ部１７８が設けられている。
【０００６】
次に組み立て手順と分解手順について説明する。
コネクタハウジング１１０には、予めフロントホルダ１７０、レバー１８０、パッキン１６５が組み付けられており、フロントホルダ１７０及びレバー１８０は仮係止位置に保持されている。この状態において、電線Ｗの先端に取り付けられた端子１５０をコネクタハウジング１１０に組み付ける場合には、図９に示すように、端子収容室１１４に後方から端子１５０を挿入する。
【０００７】
端子１５０を挿入すると、図１０（ａ）に示すように、ランス１２０が端子１５０に押されることで、一旦端子１５０の挿入経路から外側に矢印Ａ方向に撓む。この段階では、フロントホルダ１７０が仮係止位置にあることにより、ランス１２０の外側にランス１２０の撓み空間１２８が確保されている。挿入された端子１５０は、図１０（ｂ）に示すようにストッパ１１５に当たることで止まり、同時にランス１２０が元の位置に撓みから復帰し、ランス１２０のビーク１２２が端子１５０の係止孔１５４に係合し、それにより、端子１５０が係止状態に保持される。
【０００８】
次に図１１に示すように、仮係止状態にあるフロントホルダ１７０を押し込むことで、フロントホルダ１７０が本係止され、同時に、フロントホルダ１７０のランス押さえ部１７８がランス１２０の撓み空間１２８に入り込んで、ランス１２０を撓み不可能な状態に保持する。これにより、端子１５０が二重係止により固定される。
【０００９】
この状態から端子１５０を取り外す場合は、まず、フロントホルダ１７０を本係止位置から仮係止位置に引き戻し、ランス１２０を撓み可能な状態にする。次に図１２に示すように、フロントホルダ１７０の前方から係止解除治具５００の先端を挿入し、係止解除治具５００の先端でランス１２０を強制的に外側に撓ませる。そうすると、ランス１２０のビーク１２２が端子１５０の係止孔１５４から外れるので、その状態で端子１５０を後方に引っ張ることにより、端子収容室１１４から端子１５０を取り外すことができる。
【先行技術文献】
【特許文献】
【００１０】
【特許文献１】特開２０１２−８４４０４号公報
【発明の概要】
【発明が解決しようとする課題】
【００１１】
ところで、上記従来のコネクタ１０１では、端子１５０を端子収容室１１４に挿入する際に、ランス１２０を撓ませることによる反発力が端子挿入力として発生するので、挿入作業性が悪い。また、端子１５０を取り外す際には、係止解除治具５００が必要であり、メンテナンス作業に時間がかかるといった問題があった。
【００１２】
本発明は、上述した事情に鑑みてなされたものであり、その目的は、コネクタハウジングに対する端子の装着時と取り外し時の作業性の向上を図ることのできるコネクタを提供することにある。
【課題を解決するための手段】
【００１３】
本発明の上記目的は、下記の構成により達成される。
（１）  コネクタハウジングと、電線の先端に取り付けられて前記コネクタハウジングの内部に収容保持される端子と、前記コネクタハウジングの内部に前方から装着され前記コネクタハウジングに対し手前側の仮係止位置と奥側の本係止位置との間で移動自在とされたフロントホルダと、を備え、
前記コネクタハウジングに、後方から前記端子が挿入される端子収容室と、該端子収容室に後方から挿入される前記端子の前端が突き当たることで該端子を前方向に位置決めするストッパと、前記端子収容室への前記端子の挿入経路内に突出することで前記端子を係止する係合位置と前記端子の挿入経路外に退避することで前記端子と非係合となる非係合位置との間で変位自在とされ、前記端子収容室に後方から前記端子が前記ストッパで位置決めされる位置まで挿入された際に前記係合位置に変位することで前記端子と係合して前記端子を後方へ位置決め係止するランスと、が設けられ、
前記フロントホルダに、該フロントホルダが前記本係止位置から前記仮係止位置に移動させられたとき前記ランスを前記係合位置から前記非係合位置に変位させ、前記フロントホルダが前記仮係止位置から前記本係止位置に移動させられたとき前記ランスを前記非係合位置から前記係合位置に変位させるランス操作部が設けられていることを特徴とするコネクタ。
【００１４】
（２）  前記ランスは、前記非係合位置から前記係合位置に復元する可撓性を有していると共に、前記フロントホルダが前記仮係止位置から前記本係止位置に移動させられることで前記ランスが前記係合位置に復元したとき、前記フロントホルダの前記ランス操作部が前記ランスの撓み空間内に進入して前記ランスの撓みを禁止し、それにより前記端子を二重係止することを特徴とする上記（１）に記載のコネクタ。
【００１５】
（３）  前記ランスの自由端に係合孔が設けられ、前記フロントホルダの前記ランス操作部が、前記ランスの前記係合孔に差し込み可能な傾斜した引っ掛け部として突設され、該傾斜した引っ掛け部が、前記フロントホルダが前記本係止位置から前記仮係止位置に移動させられたとき、移動に伴い前記係合孔の前側の孔縁部を押圧することで前記ランスを前記非係合位置に変位させる第１の傾斜面を有していることを特徴とする上記（２）に記載のコネクタ。
【００１６】
（４）  前記ランスの自由端に係合孔が設けられ、前記フロントホルダの前記ランス操作部が、前記ランスの前記係合孔に差し込み可能な傾斜した引っ掛け部として突設され、該傾斜した引っ掛け部が、前記フロントホルダが前記本係止位置から前記仮係止位置に移動させられたとき、移動に伴い前記係合孔の前側の孔縁部を押圧することで前記ランスを前記非係合位置に変位させる第１の傾斜面と、前記フロントホルダが前記仮係止位置から前記本係止位置に移動させられたとき、移動に伴い前記係合孔の後側の孔縁部を押圧することで前記ランスを前記係合位置に変位させる第２の傾斜面と、を有していることを特徴とする上記（１）に記載のコネクタ。
【００１７】
上記（１）の構成のコネクタによれば、コネクタハウジングの内部に前方から装着してあるフロントホルダを本係止位置から仮係止位置に移動させることにより、ランスを非係合位置に保持しておくことができる。従って、この状態で端子をコネクタハウジングの端子収容室に挿入することにより、ランスを敢えて撓ませるだけの荷重を加える必要なく、端子をストッパで止まる位置まで容易に挿入することができる。また、端子を所定位置まで挿入したら、フロントホルダを本係止位置に移動させる。そうすることにより、ランスを係合位置に変位させることができ、ランスによって端子を後方へ位置決め係止することができる。また、端子を取り外す場合は、フロントホルダを本係止位置から仮係止位置に移動させることにより、ランスを非係合位置に変位させることができ、その状態で、端子を容易に引き抜いて取り外すことができる。従って、端子の取り外し時にランスを撓ませる係止解除治具を用いる必要がない。このように、端子の装着時と端子の取り外し時の作業性の向上が図れる。
【００１８】
上記（２）の構成のコネクタによれば、可撓性を持つランスの非係合位置側への撓みをフロントホルダによって阻止するので、端子を確実に二重係止により固定することができる。
【００１９】
上記（３）の構成のコネクタによれば、フロントホルダを本係止位置から仮係止位置に移動させることにより、ランス操作部の第１の傾斜面の働きにより、可撓性を持つランスを撓ませながら非係合位置に保持しておくことができる。また、端子を所定位置まで挿入した状態で、フロントホルダを仮係止位置から本係止位置に移動させることにより、ランスの復元力によりランスを係合位置に復元させることができ、ランスによって端子を位置決め係止することができる。
【００２０】
上記（４）の構成のコネクタによれば、フロントホルダを本係止位置から仮係止位置に移動させることにより、ランス操作部の第１の傾斜面の働きにより、ランスを非係合位置に保持しておくことができる。また、端子を所定位置まで挿入した状態で、フロントホルダを仮係止位置から本係止位置に移動させることにより、ランスが係合位置まで復元するだけの可撓性を持っていない場合であっても、第２の傾斜面の働きにより、ランスを係合位置に変位させることができ、ランスによって端子を位置決め係止することができる。その際、フロントホルダからランスに押圧力を与えることで、ランスを係合位置に保持するので、ランスが無用に変位するのを防ぐことができ、端子を確実に固定することができる。
【発明の効果】
【００２１】
本発明によれば、コネクタハウジングに対する端子の装着時と端子の取り外し時の作業性の向上が図れる。
【００２２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２３】
【図１】図１は本発明の実施形態のコネクタの分解斜視図である。
【図２】図２は同コネクタの相手側コネクタと嵌合する前の状態を示す外観斜視図である。
【図３】図３は同コネクタの説明図で、コネクタハウジングの端子収容室に、電線の先端に取り付けた端子を挿入しようとしている状態を示す側断面図である。
【図４】図４（ａ）はフロントホルダを仮係止位置に移動させることでランスを非係合位置に保持し、その状態で端子をストッパに当たる位置まで挿入したときの状態を示す側断面図、図４（ｂ）はその後、フロントホルダを本係止位置に移動させてランスを係合位置に変位させ、ランスのビークにより端子を位置決め係止した状態を示す側断面図である。
【図５】図５は前記端子収容室の底部にあるランスをフロントホルダの引っ掛け部により非係合位置に保持している図４（ａ）の段階の状態を示す斜視図である。
【図６】図６（ａ）は前記端子の下面側の構成を示す斜視図、図６（ｂ）は同端子を端子収容室に挿入した際の係合状態を水平断面で示す斜視図、図６（ｃ）は端子収容室側の構成を水平断面で示す平面図である。
【図７】図７は挿入した端子を外すためにフロントホルダを本係止位置から仮係止位置まで移動させてランスを非係合位置に変位させる際の作用説明図で、図７（ａ）はフロントホルダを本係止位置から仮係止位置まで移動させてランスを非係合位置に変位させる前の状態を示す側断面図、図７（ｂ）はフロントホルダを本係止位置から仮係止位置まで移動させてランスを非係合位置に変位させた後の状態を示す側断面図である。
【図８】図８は図７（ｂ）の状態から端子を引き抜いているときの状態を示す側断面図である。
【図９】図９は従来のコネクタの説明図で、コネクタハウジングの端子収容室に、電線の先端に取り付けた端子を挿入しようとしている状態を示す側断面図である。
【図１０】図１０（ａ）は同コネクタハウジングの端子収容室に、電線の先端に取り付けた端子を挿入する途中の状態を示す側断面図、図１０（ｂ）は同コネクタハウジングの端子収容室に、電線の先端に取り付けた端子を挿入した状態を示す側断面図である。
【図１１】図１１は端子を挿入した後に、フロントホルダを仮係止位置から本係止位置まで押し込み操作する場合の作用説明図で、図１１（ａ）はフロントホルダを仮係止位置から本係止位置まで押し込む前の状態を示す側断面図、図１１（ｂ）はフロントホルダを仮係止位置から本係止位置まで押し込んだときの状態を示す側断面図である。
【図１２】図１２はフロントホルダを仮係止位置まで引き出した状態で、端子を引き抜く場合の作用説明図で、図１２（ａ）は係止解除治具を端子収容室に挿入してランスを係止解除側に強制的に撓ませている状態を示す側断面図、図１２（ｂ）はその上で端子を端子収容室から引き抜いている状態を示す側断面図である。
【発明を実施するための形態】
【００２４】
以下、本発明の実施形態を図面を参照して説明する。
図１〜図８は実施形態のコネクタを示している。
【００２５】
このコネクタ１は、相手側オスコネクタと嵌合されるメスコネクタであり、図１及び図２に示すように、樹脂製のコネクタハウジング１０と、それぞれ電線Ｗの先端に取り付けられてコネクタハウジング１０の内部に収容保持される必要個数の金属製の端子５０と、コネクタハウジング１０の内部に前方から装着される樹脂製のフロントホルダ７０と、コネクタハウジング１０に回動自在に装着され、両コネクタを嵌合させる際に、両コネクタを初期嵌合状態にした上で仮係止位置から本係止位置まで回動させられることにより、てこの原理を利用して小さい力で両コネクタを完全嵌合させるレバー８０と、防水栓６０及びパッキン６５と、を備えている。
【００２６】
コネクタハウジング１０には、前面に開口１１ａを有するアウタハウジング部１１と、その内側のインナハウジング部１２とが設けられており、アウタハウジング部１１とインナハウジング部１２との間には、両コネクタの嵌合時に、相手側コネクタのフード部の進入するフード部嵌合スペース１３が確保されている。なお、アウタハウジング部１１とインナハウジング部１２は、後から装着する部品の邪魔にならない位置で互いに一体に連結されている。
【００２７】
インナハウジング部１２の内部には、図３に示すように、それぞれ後方から端子５０が挿入される複数の端子収容室１４と、図６（ｂ）及び図６（ｃ）に示すように、端子収容室１４に後方から挿入される端子５０の前端が突き当たることで端子５０を前方向に位置決めするストッパ１５と、端子収容室１４に後方から端子５０が挿入された際に端子５０に押されて端子５０の挿入経路の外側（図３では下側）へ一旦撓み変形し、端子５０がストッパ１５で位置決めされる位置まで挿入された段階で撓みから復帰して端子５０の係止孔５４にビーク２２を係合させ、それにより、端子５０を後方へ位置決め係止するランス２０と、が設けられている。
【００２８】
即ち、ランス２０は、図４（ｂ）に示すように、端子収容室１４への端子５０の挿入経路内に突出することで端子５０を係止する係合位置と、図４（ａ）に示すように、端子５０の挿入経路外に退避することで端子５０と非係合となる非係合位置との間で変位自在（撓み自在）とされており、非係合位置から係合位置に復元するだけの可撓性を有している。そして、ランス２０は、端子収容室１４に後方から端子５０がストッパ１５で位置決めされる位置まで挿入された際に、係合位置に変位することで端子５０と係合して端子５０を後方へ位置決め係止するようになっている。
【００２９】
端子５０は、図３及び図６（ａ）に示すように、前部に、相手側コネクタのオスタブ端子が前方から進入してきたときに該オスタブ端子を受け入れて接触導通する扁平角筒状のボックス部５１を有し、後部に、電線Ｗの先端に加締め固定するための電線加締部５８を有するもので、ボックス部５１を構成する幅広の周壁の幅方向中央に係止孔５４を有している。ボックス部５１の内部には、オスタブ端子を受け入れる差し込みスペース５２と、差し込みスペース５２に進入してきたオスタブ端子をボックス部５１の周壁との間で挟み込むバネ片５３とが設けられている。
【００３０】
端子５０に先端が固定された電線Ｗの外周には、端子収容室１４の周壁と電線Ｗの外周との間の隙間をシールするゴム製の防水栓６０が設けられ、コネクタハウジング１０のインナハウジング部１２の外周には、両コネクタを嵌合した際に相手側コネクタのフード部とインナハウジング部１２との間の隙間をシールするパッキン６５が設けられており、これら防水栓６０及びパッキン６５のシール作用によりコネクタ１が防水仕様に構成されている。なお、図６（ａ）に示すように、防水栓６０は、端子５０の後端に設けた加締片５９により、電線Ｗの絶縁被覆の上に加締め固定されている。
【００３１】
ランス２０は、後端２１をインナハウジング部１２の内周壁に固定することで、自由端である先端を前方に向けて片持状に設けられている。このランス２０は、図４〜図７に示すように、自由端である先端に近い位置に、端子５０の係止孔５４に係合するビーク（係止凸部）２２を有している。
【００３２】
また、このランス２０は、図５に示すように、ビーク２２を設けた位置よりも先端側に、係合孔２５ａを有する矩形枠部２５を有している。この矩形枠部２５の矩形の係合孔２５ａには、後述するフロントホルダ７０の引っ掛け部７３が差し込まれている。
【００３３】
フロントホルダ７０は、コネクタハウジング１０のインナハウジング部１２に対し前方から装着されており、コネクタハウジング１０に対し手前側の仮係止位置（図４（ａ）の位置）と奥側の本係止位置（図４（ｂ）の位置）との間で移動自在とされている。このフロントホルダ７０には、インナハウジング部１２の前端外周部に嵌合する筒壁７１が設けられており、この筒壁７１の底部７２に、上方斜め前方に向けて突片状の引っ掛け部７３が突設されている。この引っ掛け部７３は、ランス２０の先端の係合孔２５ａに差し込まれており、フロントホルダ７０が図７（ａ）の本係止位置から図７（ｂ）の仮係止位置に移動させられたとき、ランス２０を係合位置（端子５０に係合する位置）から非係合位置（端子５０と係合しない位置）に変位させ、フロントホルダ７０が図４（ａ）の仮係止位置から図４（ｂ）の本係止位置に移動させられたとき、ランス２０を非係合位置（端子５０と係合しない位置）から係合位置（端子５０に係合する位置）に変位させるランス操作部としての役割を果たすものである。
【００３４】
この引っ掛け部７３は、コネクタハウジング１０の前方側に傾斜した状態で突設されており、前側面に、フロントホルダ７０が本係止位置から仮係止位置に移動させられたとき、移動に伴い係合孔２５ａの前側の孔縁部を押圧することでランス２０を非係合位置に変位させる第１の傾斜面７３ａと、フロントホルダ７０が仮係止位置から本係止位置に移動させられたとき、移動に伴い係合孔２５ａの後側の孔縁部を押圧することでランス２０を係合位置に変位させる第２の傾斜面７３ｂと、を有している。
【００３５】
本実施形態では、ランス２０自体が非係合位置から係合位置に復元するような可撓性を有しているので、第２の傾斜面７３ｂが、ランス２０の係合孔２５ａの後側の孔縁部を押圧して、ランス２０を係合位置に押し上げる働きを発揮しないと考えられるが、ランス２０の可撓性が弱い場合は、ランス２０を係合位置に押し上げる働きを発揮することが期待できる。
【００３６】
フロントホルダ７０の引っ掛け部７３は、フロントホルダ７０が仮係止位置から本係止位置に移動させられたときに、図４（ｂ）に示すように、ランス２０の係合孔２５ａの後側の孔縁部の下側（つまり、ランス２０の撓み空間２８）に挿入されるので、この引っ掛け部７３がランス２０の撓みを禁止し、それにより端子５０を二重係止する。
【００３７】
また、レバー８０は、図１に示すように、互いに平行に対向する一対の側板８１、８２と、これら一対の側板８１、８２を連結して正面視形状コ字状にする連結操作部８３と、からなる。このレバー８０は、両方の側板８１、８２を、コネクタハウジング１０のインナハウジング部１２を上下から挟む位置に配してコネクタハウジング１０に水平方向回動可能に装着されており、仮係止位置から回動させることにより、初期嵌合されている両コネクタを完全嵌合させることができるように構成されている。
【００３８】
なお、図１に示すように、レバー８０の連結操作部８３には、レバー８０を本係止位置まで回動させたとき、コネクタハウジング１０側の係止アーム１７に設けたロック部１８に係合する係合爪８８が設けられている。
【００３９】
次に組み立て手順と分解手順について説明する。
コネクタハウジング１０には、予めフロントホルダ７０、レバー８０、パッキン６５が組み付けられており、フロントホルダ７０及びレバー８０は仮係止位置に保持されている。この状態において、電線Ｗの先端に取り付けられた端子５０をコネクタハウジング１０に組み付ける場合には、図３に示すように、まず、フロントホルダ７０を一旦矢印Ａのように本係止位置に移動させ、それから矢印Ｂのように仮係止位置に移動させる。そうすることで、フロントホルダ７０の引っ掛け部７３がランス２０の係合孔２５ａに差し込まれ、フロントホルダ７０の本係止位置への移動によりランス２０が下側に撓んで非係合位置に保持される。
【００４０】
この状態で、図４（ａ）に示すように、コネクタハウジング１０の端子収容室１４に後方から端子５０を挿入する。この場合、ランス２０が予め非係合位置に保持されているので、ランス２０を敢えて撓ませるだけの荷重を加える必要なく、端子５０をストッパ１５で止まる位置まで、ほぼ無荷重で容易に挿入することができる。端子５０を挿入すると、電線Ｗの外周に装着された防水栓６０が端子収容室１４の周壁内面に密着し、端子収容室１４の周壁と電線Ｗの外周の隙間がシールされる。
【００４１】
端子５０を所定位置まで挿入したら、次に図４（ｂ）に示すように、フロントホルダ７０を仮係止位置から本係止位置に移動させる。そうすると、ランス２０を自身の復元力により係合位置に変位させることができ、ランス２０のビーク２２が端子５０の係止孔５４に係合して、端子５０がランス２０によって後方へ位置決め係止される。
【００４２】
また、フロントホルダ７０を本係止位置に移動させることにより、フロントホルダ７０の引っ掛け部７３がランス２０の撓み空間２８に入り込んで、ランス２０を撓み不可能な状態に保持する。これにより、端子５０が二重係止により固定される。
【００４３】
この状態から端子５０を取り外す場合は、図７に示すように、まず、フロントホルダ７０を本係止位置から仮係止位置に移動させる。そうすると、ランス２０を非係合位置に変位させることができ、その状態で、図８に示すように、ランス２０に邪魔されずに端子２０を容易に引き抜いて取り外すことができる。従って、端子５０の取り外し時にランス２０を撓ませる係止解除治具５００（図１２参照）を用いる必要がない。このように、端子５０の装着時と端子５０の取り外し時の作業性の向上が図れる。
【００４４】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４５】
ここで、上述した本発明に係るコネクタの実施形態の特徴をそれぞれ以下［１］〜［４］に簡潔に纏めて列記する。
［１］  コネクタハウジング（１０）と、電線（Ｗ）の先端に取り付けられて前記コネクタハウジング（１０）の内部に収容保持される端子（５０）と、前記コネクタハウジング（１０）の内部に前方から装着され前記コネクタハウジング（１０）に対し手前側の仮係止位置と奥側の本係止位置との間で移動自在とされたフロントホルダ（７０）と、を備え、
前記コネクタハウジング（１０）に、後方から前記端子（５０）が挿入される端子収容室（１４）と、該端子収容室（１４）に後方から挿入される前記端子（５０）の前端が突き当たることで該端子（５０）を前方向に位置決めするストッパ（１５）と、前記端子収容室（１４）への前記端子（５０）の挿入経路内に突出することで前記端子（５０）を係止する係合位置と前記端子（５０）の挿入経路外に退避することで前記端子（５０）と非係合となる非係合位置との間で変位自在とされ、前記端子収容室（１４）に後方から前記端子（５０）が前記ストッパ（１５）で位置決めされる位置まで挿入された際に前記係合位置に変位することで前記端子（５０）と係合して前記端子（５０）を後方へ位置決め係止するランス（２０）と、が設けられ、
前記フロントホルダ（７０）に、該フロントホルダ（７０）が前記本係止位置から前記仮係止位置に移動させられたとき前記ランス（２０）を前記係合位置から前記非係合位置に変位させ、前記フロントホルダ（７０）が前記仮係止位置から前記本係止位置に移動させられたとき前記ランス（２０）を前記非係合位置から前記係合位置に変位させるランス操作部（７３）が設けられていることを特徴とするコネクタ（１）。
【００４６】
［２］  前記ランス（２０）は、前記非係合位置から前記係合位置に復元する可撓性を有していると共に、前記フロントホルダ（７０）が前記仮係止位置から前記本係止位置に移動させられることで前記ランス（２０）が前記係合位置に復元したとき、前記フロントホルダ（７０）の前記ランス操作部（７３）が前記ランス（２０）の撓み空間（２８）内に進入して前記ランス（２０）の撓みを禁止し、それにより前記端子（５０）を二重係止することを特徴とする上記［１］に記載のコネクタ（１）。
【００４７】
［３］  前記ランス（２０）の自由端に係合孔（２５ａ）が設けられ、前記フロントホルダ（７０）の前記ランス操作部（７３）が、前記ランス（７０）の前記係合孔（２５ａ）に差し込み可能な傾斜した引っ掛け部（７３）として突設され、該傾斜した引っ掛け部（７３）が、前記フロントホルダ（７０）が前記本係止位置から前記仮係止位置に移動させられたとき、移動に伴い前記係合孔（２５ａ）の前側の孔縁部を押圧することで前記ランス（２０）を前記非係合位置に変位させる第１の傾斜面（７３ａ）を有していることを特徴とする上記［２］に記載のコネクタ（１）。
【００４８】
［４］  前記ランス（２０）の自由端に係合孔（２５ａ）が設けられ、前記フロントホルダ（７０）の前記ランス操作部（７３）が、前記ランス（２０）の前記係合孔（２５ａ）に差し込み可能な傾斜した引っ掛け部（７３）として突設され、該傾斜した引っ掛け部（７３）が、前記フロントホルダ（７０）が前記本係止位置から前記仮係止位置に移動させられたとき、移動に伴い前記係合孔（２５ａ）の前側の孔縁部を押圧することで前記ランス（２０）を前記非係合位置に変位させる第１の傾斜面（７３ａ）と、前記フロントホルダ（７０）が前記仮係止位置から前記本係止位置に移動させられたとき、移動に伴い前記係合孔（２５ａ）の後側の孔縁部を押圧することで前記ランス（２０）を前記係合位置に変位させる第２の傾斜面（７３ｂ）と、を有していることを特徴とする上記［１］に記載のコネクタ。
【符号の説明】
【００４９】
１  コネクタ
１０  コネクタハウジング
１４  端子収容室
１５  ストッパ
２０  ランス
２５ａ  係合孔
２８  撓み空間
５０  端子
７０  フロントホルダ
７３  引っ掛け部（ランス操作部）
７３ａ  第１の傾斜面
７３ｂ  第２の傾斜面  
Ｗ  電線
【図１】
2014026794.tif 000003
【図２】
2014026794.tif 000004
【図３】
2014026794.tif 000005
【図４】
2014026794.tif 000006
【図５】
2014026794.tif 000007
【図６】
2014026794.tif 000008
【図７】
2014026794.tif 000009
【図８】
2014026794.tif 000010
【図９】
2014026794.tif 000011
【図１０】
2014026794.tif 000012
【図１１】
2014026794.tif 000013
【図１２】
2014026794.tif 000014